(57)【要約】【課題】点火プラグキャップの形状を小型化すると共に点火プラグへの着脱操作性を向上する。【解決手段】点火プラグ２の頭部に設けられたプラグ端子と点火プラグ２に高圧電流を流す高圧コード３とを接続する点火プラグキャップであって、点火プラグ２の頭部に被せるキャップ部１ａの外周側面を全周に亘って凹形状に形成し、その凹形状部分にキャップ部１ａの中心軸９に直交する面内でリング状に形成されると共に該キャップ部１ａの最外径を超えない範囲で突出する複数本の突条８を設け、キャップ部１ａに対して高圧コード３を接続する側面と反対側の側面に前記中心軸９の方向に延びる補強リブ１０を設けたものである。【選択図】図１
2016041907.tif 000002
【特許請求の範囲】
【請求項１】
点火プラグの頭部に設けられたプラグ端子と前記点火プラグに高圧電流を流す高圧コードとを接続する点火プラグキャップであって、
前記点火プラグの頭部に被せるキャップ部の外周側面を全周に亘って凹形状に形成し、その凹形状部分に前記キャップ部の中心軸に直交する面内でリング状に形成されると共に該キャップ部の最外径を超えない範囲で突出する複数本の突条を設け、
前記キャップ部に対して高圧コードを接続する側面と反対側の側面に前記中心軸の方向に延びる補強リブを設けた、
ことを特徴とする点火プラグキャップ。
【請求項２】
前記キャップ部の外周側面の凹形状は、円弧状に形成されたことを特徴とする請求項１に記載の点火プラグキャップ。
【請求項３】
前記キャップ部の頂部は、断面円弧状の突曲面に形成されたことを特徴とする請求項１又は２に記載の点火プラグキャップ。
【請求項４】
前記キャップ部の下部にて前記点火プラグの碍子部に被せる嵌合部の内側周面には、前記碍子部の外周面に形成されたリング状の溝に係合するリング状の突条を設けたことを特徴とする請求項１〜３のいずれか１項に記載の点火プラグキャップ。
【請求項５】
前記キャップ部に対する高圧コードの接続部は、該キャップ部の中心軸に直交する方向又は前記中心軸に斜めに交わって点火プラグとの間が鋭角をなす方向に突出して設けられたことを特徴とする請求項１〜４のいずれか１項に記載の点火プラグキャップ。
【発明の詳細な説明】
【技術分野】
【０００１】
本発明は、点火プラグのプラグ端子とその点火プラグに高圧電流を流す高圧コードとを接続する点火プラグキャップに関し、詳しくは、形状を小型化すると共に点火プラグへの着脱操作性を向上することができる点火プラグキャップに係るものである。
【背景技術】
【０００２】
従来の点火プラグキャップは、点火プラグのプラグ端子を収容する空孔を有し高圧ケーブル及び接続端子を内包保護するプラグキャップパイプと、該プラグキャップパイプの上端を覆う軟質材料からなるレインカバーと、前記プラグキャップパイプの先端部に被着された軟質材料からなるゴムキャップとから形成されていた（例えば、特許文献１参照）。ここで、前記接続端子は、空孔に挿着される点火プラグのプラグ端子と高圧ケーブルとを電気的に接続する。また、前記レインカバーは、エンジンブロックに形成された点火プラグ用取付孔の上端と嵌合して、該取付孔内への水滴等の浸入を防止すると共に、点火プラグキャップ自体の位置決めと保持を行う。
【先行技術文献】
【特許文献】
【０００３】
【特許文献１】特開平８−３１２５１３号公報
【発明の概要】
【発明が解決しようとする課題】
【０００４】
しかし、特許文献１に記載の点火プラグキャップにおいては、点火プラグのプラグ端子と高圧ケーブルとを電気的に接続する接続端子を内包保護するプラグキャップパイプの上端を覆うレインカバーが、前記プラグキャップパイプの先端部に被着されたゴムキャップの外径より太径とされているので、点火プラグキャップの平面視及び側面視において前記レインカバーが外方に出っ張るものであった。したがって、点火プラグキャップの外形が大きくなっていた。このことから、益々小型化している例えばエンジン駆動のチェンソーにおいては、エンジンケース内における点火プラグの配置、及び点火プラグキャップの装着が難しくなっていた。また、前記プラグキャップパイプやレインカバーでは、点火プラグに対する着脱操作性がよいとは言えないものであった。
【０００５】
そこで、このような問題点に対処し、本発明が解決しようとする課題は、形状を小型化すると共に点火プラグへの着脱操作性を向上することができる点火プラグキャップを提供することにある。
【課題を解決するための手段】
【０００６】
前記課題を解決するために、本発明による点火プラグキャップは、点火プラグの頭部に設けられたプラグ端子と前記点火プラグに高圧電流を流す高圧コードとを接続する点火プラグキャップであって、前記点火プラグの頭部に被せるキャップ部の外周側面を全周に亘って凹形状に形成し、その凹形状部分に前記キャップ部の中心軸に直交する面内でリング状に形成されると共に該キャップ部の最外径を超えない範囲で突出する複数本の突条を設け、前記キャップ部に対して高圧コードを接続する側面と反対側の側面に前記中心軸の方向に延びる補強リブを設けたものである。
【発明の効果】
【０００７】
本発明による点火プラグキャップによれば、点火プラグの頭部に被せるキャップ部の外周側面を全周に亘って凹形状に形成し、その凹形状部分に前記キャップ部の中心軸に直交する面内でリング状に形成されると共に該キャップ部の最外径を超えない範囲で突出する複数本の突条を設けたことにより、点火プラグキャップの平面視及び側面視において外方に出っ張るものが無くなり、該点火プラグキャップの外形を小さくして小型化することができる。また、前記キャップ部の外周側面の凹形状部分に前記複数本の突条を設けたことにより、この突条に指を掛けて点火プラグを着脱することでその着脱操作性を向上することができる。さらに、前記キャップ部に対して高圧コードを接続する側面と反対側の側面に前記中心軸の方向に延びる補強リブを設けたことにより、キャップ部の強度を補うことができる。
【図面の簡単な説明】
【０００８】
【図１】本発明による点火プラグキャップの実施形態を示す正面図である。
【図２】図１の左側面図である。
【図３】図１の平面図である。
【図４】前記点火プラグキャップをエンジンの点火プラグに装着した状態を示す断面説明図である。
【図５】図１に示す点火プラグキャップを上下の中心軸に沿って断面した縦断面図である。
【図６】点火プラグから取り外した状態の点火プラグキャップを示す左側面図である。
【図７】点火プラグから取り外した状態の点火プラグキャップを示す正面図である。
【発明を実施するための形態】
【０００９】
以下、本発明の実施の形態を添付図面に基づいて説明する。
図１は本発明による点火プラグキャップの実施形態を示す正面図であり、図２はその左側面図であり、図３はその平面図である。この点火プラグキャップ１は、点火プラグ２のプラグ端子と、その点火プラグ２に高圧電流を流す高圧コード３とを接続するもので、点火プラグ２の頭部に被せるキャップ部１ａと、前記キャップ部１ａの下部にて前記点火プラグ２の碍子部に被せる嵌合部１ｂとを、例えばフェノール樹脂又は合成ゴム等の弾性体で一体的に形成して成る。なお、点火プラグキャップ１の材質としては、耐電導性（絶縁性）、耐熱性、耐候性等を有するものとされる。
【００１０】
前記点火プラグ２は、図４に示すように、エンジンのシリンダ４の頂部に設けられたプラグホール５に固定されて、火花放電によって燃焼室内の混合気に点火するものである。そして、図５に示すように、前記点火プラグ２の頭部には、図示外のイグニッションコイルなどで生成した高圧電流を受けるプラグ端子６が設けられている。また、この点火プラグ２のプラグ端子６には、前記イグニッションコイルなどで生成された高圧電流を供給する高圧コード３が電気的に接続される。図５では、点火プラグキャップ１のキャップ部１ａの一側面に突出して設けられたブーツ部１ｃの軸心部にあけられた孔内に高圧コード３の先端部を挿入し、該高圧コード３の芯線３ａに一部が噛み付いて接続された線材又は板金等の接続端子７を前記プラグ端子６に電気的に接続している。
【００１１】
ここで、本発明においては、前記点火プラグ２の頭部に被せるキャップ部１ａの外周側面が全周に亘って凹形状に形成され、その凹形状部分に前記キャップ部１ａの中心軸に直交する面内でリング状に形成されると共に該キャップ部１ａの最外径を超えない範囲で突出する複数本の突条８が設けられている。すなわち、図１及び図２において、点火プラグキャップ１の上半部に相当するキャップ部１ａの外周側面が全周に亘って凹形状に形成されている。具体的には、図２に２点鎖線ｃで示すように、キャップ部１ａの全周囲が側面視で円弧状の凹形状に形成されている。なお、このキャップ部１ａの外周側面の凹形状は、円弧状だけに限られず、他の凹形状、例えば側面視でコ字形に形成されていてもよい。
【００１２】
また、前記凹形状部分には、図１及び図２に示すように、リング状の複数本の突条８が設けられている。この突条８は、作業者が点火プラグ２に対して点火プラグキャップ１を着脱する際に、それに指を掛けて着脱操作できるようにするもので、前記凹形状部分にてキャップ部１ａの長手方向の中心軸９（点火プラグキャップ１の中心軸９と一致する）に直交する面内でリング状に形成されている。すなわち、前記突条８は、キャップ部１ａの凹形状部分にて断面がカマボコ形のハチマキ状に形成されている。
【００１３】
そして、その複数本の突条８は、前記キャップ部１ａの中心軸９に直交する面内での突出量が該キャップ部１ａの最外径を超えない範囲で突出している。すなわち、図６に示すように、キャップ部１ａの下部の嵌合部１ｂの外径をｄとし、突条８の外径をｅとすると、嵌合部１ｂの外径ｄはキャップ部１ａの最外径と略同等であり、各々の突条８の外径ｅは何れもキャップ部１ａの最外径（ｄ）よりも小さくなっている。これにより、キャップ部１ａの外周面に複数本の突条８を設けても、各々の突条８は、キャップ部１ａの外周面から外方に出っ張ることがない。したがって、点火プラグキャップ１の外形が小さくなり小型化する。なお、前記突条８は、複数本であれば何本でもよい。
【００１４】
さらに、前記キャップ部１ａに対して高圧コード３を接続する側面と反対側の側面には、前記中心軸９の方向に延びる補強リブ１０が設けられている。この補強リブ１０は、キャップ部１ａにおいて一側面に突出して設けられたブーツ部１ｃと強度上のバランスを取るためのもので、図２に示すように、前記凹形状部内にて中心軸９の方向に延び、その幅ｆは前記突条８の１本分の幅よりも広くされている。なお、補強リブ１０の幅ｆは、突条８の数本分の幅よりも広いことが望ましい。これにより、凹形状部を有するキャップ部１ａの強度を向上することができる。
【００１５】
前記キャップ部１ａの頂部１１は、図１及び図２に示すように、断面円弧状の突曲面に形成されている。これは、従来の点火プラグキャップの頂部は平坦状であったが、この平らな頂部の角部を削り取って全体として突球面状としたものである。この場合、突球面状とされた頂部１１は、従来の角部が存在しないので、その分だけ形状が小型化する。また、点火プラグ２をエンジンのシリンダ４の頂部に斜めに傾斜して取り付けることがあるが、その場合は、点火プラグキャップ１の頂部が上方へ出っ張る量が少なくなり、その上方にエンジンカバー等があるときの配置が容易になる。なお、キャップ部１ａの頂部１１は突球面状に限られず、平らな頂部の角部に大きなＲで面取りをして突曲面に形成してもよい。
【００１６】
図５において、キャップ部１ａの下部にて点火プラグ２の碍子部２ａに被せる嵌合部１ｂの内側周面には、リング状の係合突条１２が１本又は複数本設けられている。この係合突条１２は、前記碍子部２ａの外周面に形成されたリング状の係合溝１３に係合するもので、前記嵌合部１ｂの内部に形成された穴部の内側周面にて断面カマボコ形に形成されている。そして、点火プラグ２の碍子部２ａに嵌合部１ｂを被せることで、碍子部２ａの係合溝１３に係合突条１２が係合して、点火プラグ２の頭部に点火プラグキャップ１が装着される。これにより、点火プラグキャップ１の抜け止めを行うと共に、前記碍子部２ａに水が入らないように防水の作用もしている。
【００１７】
また、図１において、前記キャップ部１ａに対する高圧コード３の接続部は、キャップ部１ａの中心軸９に斜めに交わって点火プラグ２との間が鋭角をなす方向に突出して設けられている。すなわち、図７に示すように、キャップ部１ａに対する高圧コード３の接続部としてのブーツ部１ｃは、キャップ部１ａに対する取付角θが直角よりも小さくされている。この場合、点火プラグ２をエンジンのシリンダ４の頂部に斜めに傾斜して取り付けることがあるが、その上方にエンジンカバー等があるときの高圧コード３の配線が容易になる。なお、ブーツ部１ｃの取付角θは、鋭角に限られず、高圧コード３の配線の都合により、キャップ部１ａの中心軸９に直交する方向に突出して設けてもよい。
【００１８】
次に、このように構成された点火プラグキャップ１の使用について説明する。まず、図７に示す点火プラグキャップ１のブーツ部１ｃの軸心部にあけられた孔に対して、図５に示す高圧コード３の先端部を挿入して、点火プラグキャップ１に高圧コード３を組み付ける。このとき、高圧コード３の先端部には、その芯線３ａに一部が噛み付いた状態の接続端子７が接続されている。
【００１９】
この状態で、作業者は、高圧コード３が組み付けられた点火プラグキャップ１のキャップ部１ａを把持し、シリンダの頂部に設けられた点火プラグ２の位置へ点火プラグキャップ１を持ってくる。そして、図５に示すように、点火プラグ２の碍子部２ａに点火プラグキャップ１の嵌合部１ｂを被せて押し込む。すると、碍子部２ａの係合溝１３に嵌合部１ｂの下部の係合突条１２が係合して、点火プラグ２の頭部に点火プラグキャップ１が装着される。このとき、点火プラグキャップ１に組み付けられた高圧コード３の先端部の接続端子７が、点火プラグ２の頭部のプラグ端子６と電気的に接続される。図５では、接続端子７がコイルスプリング状に形成されており、この接続端子７が点火プラグ２のプラグ端子６に周りから圧接するようになっている。
【００２０】
このように、点火プラグキャップ１を点火プラグ２の頭部に装着することで、点火プラグ２のプラグ端子６と、その点火プラグ２に高圧電流を流す高圧コード３とを接続する。本発明では、点火プラグ２の頭部に被せるキャップ部１ａの外周側面を全周に亘って凹形状に形成したことにより、点火プラグキャップ１の平面視及び側面視において外方に出っ張るものが無くなり、該点火プラグキャップ１の外形を小さくして小型化する。また、キャップ部１ａの外周側面の凹形状部分に複数本の突条８を設けたことにより、この突条８に指を掛けて点火プラグ２を着脱することでその着脱操作性を向上する。さらに、キャップ部１ａに対して高圧コード３を接続する側面と反対側の側面に中心軸９の方向に延びる補強リブ１０を設けたことにより、キャップ部１ａの強度を補うことができる。
【符号の説明】
【００２１】
１…点火プラグキャップ
１ａ…キャップ部
１ｂ…嵌合部
１ｃ…ブーツ部（接続部）
２…点火プラグ
２ａ…碍子部
３…高圧コード
６…プラグ端子
７…接続端子
８…突条
９…中心軸
１０…補強リブ
１１…キャップ部の頂部
１２…係合突条
１３…係合溝
【図１】
2016041907.tif 000003
【図２】
2016041907.tif 000004
【図３】
2016041907.tif 000005
【図４】
2016041907.tif 000006
【図５】
2016041907.tif 000007
【図６】
2016041907.tif 000008
【図７】
2016041907.tif 000009